(57)【要約】【課題】配線を気にすることなくキャビネットの取り外し等を行うことが可能であり、運転状態や警報等を容易に確認することも可能な給水装置を提供する。【解決手段】給水装置１は、ポンプを制御する制御盤ＣＰと、制御盤ＣＰを収容するキャビネット１０と、制御盤ＣＰに設けられ、第１近距離通信を行って給水装置１の状態を示す情報を送信する制御部２０と、キャビネット１０に取り付けられ、制御部２０との間で第１近距離通信を行って給水装置１の状態を示す情報を得る表示器３０と、を備える。【選択図】図３
2019011732.tif 000002
【特許請求の範囲】
【請求項１】
ポンプを制御する制御装置を備える給水装置において、
前記制御装置を収容する筐体と、
前記制御装置に設けられ、第１近距離通信を行って前記給水装置の状態を示す情報を送信する制御部と、
前記筐体に取り付けられ、前記制御部との間で前記第１近距離通信を行って前記情報を得る通信器と、
を備える給水装置。
【請求項２】
前記通信器は、前記制御部から非接触で供給される電力によって動作する、請求項１記載の給水装置。
【請求項３】
前記通信器は、前記第１近距離通信を行って得られた前記情報を、第２近距離通信を行って前記筐体の外部の機器に送信する、請求項１又は請求項２記載の給水装置。
【請求項４】
前記通信器は、前記外部の機器から非接触で供給される電力によって動作する、請求項３記載の給水装置。
【請求項５】
前記外部の機器は、前記通信器との間で前記第２近距離通信を行って得られた前記情報を表示する表示部を備える端末装置である、請求項３又は請求項４記載の給水装置。
【請求項６】
前記通信器は、前記第１近距離通信を行って得られた情報を表示する表示部を備える表示器である、請求項１から請求項５の何れか一項に記載の給水装置。
【請求項７】
ポンプを制御する制御装置を備える給水装置において、
前記制御装置のケース内に収容され、第１近距離通信を行って前記給水装置の状態を示す情報を送信する制御部と、
前記制御装置のケースに取り付けられ、前記制御部との間で前記第１近距離通信を行って前記情報を得る第１通信器と、
を備える給水装置。
【請求項８】
前記第１通信器は、前記第１近距離通信を行って得られた前記情報を、第２近距離通信を行って前記制御装置の外部の機器に送信する、請求項７記載の給水装置。
【請求項９】
前記外部の機器は、前記第１通信器との間で前記第２近距離通信を行って得られた前記情報を表示する表示部を備える端末装置である、請求項８記載の給水装置。
【請求項１０】
前記制御装置を収容する筐体を備えており、
前記外部の機器は、前記筐体に取り付けられ、前記第１通信器との間で前記第２近距離通信を行って前記情報を得る第２通信器である、請求項８記載の給水装置。
【請求項１１】
前記第２通信器は、前記第２近距離通信を行って得られた情報を表示する表示部を備える表示器である、請求項１０記載の給水装置。
【請求項１２】
前記第２通信器は、前記第２近距離通信を行って得られた前記情報を、第３近距離通信を行って前記筐体の外部の機器に送信する、請求項１０又は請求項１１記載の給水装置。
【請求項１３】
前記第１通信器は、前記第１近距離通信を行って得られた情報を表示する表示部を備える内部表示器である、請求項７から請求項１２の何れか一項に記載の給水装置。
【請求項１４】
ポンプを制御する制御装置を備える給水装置において、
前記制御装置を収容する筐体と、
前記制御装置に設けられ、前記給水装置の状態を示す情報を出力する制御部と、
前記制御部に接続され、前記制御部から出力される前記情報を表示するととともに、第１近距離通信を行って前記情報を送信する内部表示器と、
前記筐体に取り付けられ、前記内部表示器との間で前記第１近距離通信を行って前記情報を得る通信器と、
を備える給水装置。
【請求項１５】
前記通信器は、前記第１近距離通信を行って得られた前記情報を、第２近距離通信を行って前記筐体の外部の機器に送信する、請求項１４記載の給水装置。
【請求項１６】
前記通信器は、前記第１近距離通信を行って得られた情報を表示する表示部を備える表示器である、請求項１４又は請求項１５記載の給水装置。
【発明の詳細な説明】
【技術分野】
【０００１】
本発明は、給水装置に関する。
【背景技術】
【０００２】
給水装置は、誤操作の防止や安全上の観点から、キャビネットと呼ばれる金属製又は樹脂製の筐体に収容されているものが殆どである。例えば、マンション等の集合住宅に設置される給水装置は、ポンプ、ポンプを駆動する電動機、及び電動機を制御する制御装置等の主要な構成要素の殆どがキャビネットに収容されているものが多い。また、給水装置の中には、主要な構成要素の一部（制御装置等）のみがキャビネットに収容されており、残りの構成要素（ポンプ及び電動機）がキャビネットの外部に配置されているものもある。
【０００３】
このような給水装置では、キャビネットの一部又は全部が取り外し可能（或いは、キャビネットの一部が開閉可能）に構成されており、キャビネットの一部又は全部を取り外す（或いは、キャビネットの一部を開放する）ことで、キャビネットに収容された構成要素に対する操作を行うことが可能である。また、このような給水装置では、キャビネットに透明な窓部が設けられており、窓部を介してキャビネットに収容された表示器を参照することで、キャビネットの取り外し等を行うことなく、給水装置の運転状態や警報の内容を確認することが可能である。例えば、従来の給水装置には、取り外し可能（或いは、開閉可能）に構成されたキャビネット蓋に窓部が設けられているものがある。
【０００４】
以下の特許文献１には、ポンプ、電動機、制御装置等の主要な構成要素の殆どがキャビネットに収容されている給水装置の一例が開示されている。また、以下の特許文献２には、主要な構成要素の一部（制御装置等）のみがキャビネットに収容されており、残りの構成要素（ポンプ及び電動機）がキャビネットの外部に配置されている給水装置の一例が開示されている。また、以下の特許文献３には、開閉扉に設けられた覗き窓からハウジング内のインバータ回路の表示部を視認できるよう凸レンズ部を具備し、開閉扉を開くことなく点検が可能な給水装置の一例が開示されている。
【先行技術文献】
【特許文献】
【０００５】
【特許文献１】国際公開第２０１３／１０００１６号
【特許文献２】特開２００５−１５５３４４号公報
【特許文献３】特許第３５６６３９０号公報
【発明の概要】
【発明が解決しようとする課題】
【０００６】
ところで、上述した従来の給水装置では、キャビネット設けられている窓部が経年劣化によって曇ってしまい、窓部を介してキャビネットに収容されている表示器を参照するのが困難になるという問題がある。また、キャビネット内の配管は結露することがあり、結露によって窓部が曇ってしまった場合にも、窓部を介して表示器を参照するのが困難になるという問題がある。しかも、キャビネットは誤操作の防止や安全上の観点から施錠されており、キャビネットの取り外し等を自由に行うことができないため、窓部の清掃や交換を行うことができるのはメンテナンス時のみに限られてしまう。
【０００７】
また、給水装置は、屋外に設置される場合には、防雨、防塵等のために、全体が屋外カバーで覆われた状態で設置されることがある。例えば、上述した特許文献２に開示された給水装置のように、ポンプ及び電動機がキャビネットの外部に配置される給水装置が屋外に設置される場合には、上記の屋外カバーが用いられることがある。このような屋外カバーが用いられる場合には、屋外カバーに設けられた窓部を介して給水装置の表示器を参照する必要があることから、窓部が曇ってしまった場合には、窓部を介して給水装置の表示器を参照するのが困難になるという問題がある。
【０００８】
本発明は上記事情に鑑みてなされたものであり、キャビネット又は屋外カバー等の筐体を取り外すことなく運転状態や警報等を容易に確認することが可能な給水装置を提供することを目的とする。
【課題を解決するための手段】
【０００９】
上記課題を解決するために、本発明の第１態様による給水装置は、ポンプ（１１ａ，１１ｂ）を制御する制御装置（ＣＰ）を備える給水装置（１、２、３Ａ）において、前記制御装置を収容する筐体（１０、ＣＶ）と、前記制御装置に設けられ、第１近距離通信を行って前記給水装置の状態を示す情報を送信する制御部（２０、４０）と、前記筐体に取り付けられ、前記制御部との間で前記第１近距離通信（Ｃ１）を行って前記情報を得る通信器（３０、５０）と、を備える。
また、本発明の第１態様による給水装置は、前記通信器が、前記制御部から非接触で供給される電力によって動作する。
また、本発明の第１態様による給水装置は、前記通信器が、前記第１近距離通信を行って得られた前記情報を、第２近距離通信（Ｃ２）を行って前記筐体の外部の機器（６０）に送信する。
また、本発明の第１態様による給水装置は、前記通信器が、前記外部の機器から非接触で供給される電力によって動作する。
また、本発明の第１態様による給水装置は、前記外部の機器が、前記通信器との間で前記第２近距離通信を行って得られた前記情報を表示する表示部（６４）を備える端末装置（６０）である。
また、本発明の第１態様による給水装置は、前記通信器が、前記第１近距離通信を行って得られた情報を表示する表示部を備える表示器である。
本発明の第２態様による給水装置は、ポンプ（１１ａ，１１ｂ）を制御する制御装置（ＣＰ）を備える給水装置（３、４）において、前記制御装置のケース（ＣＳ）内に収容され、第１近距離通信を行って前記給水装置の状態を示す情報を送信する制御部（２０、４０）と、前記制御装置のケースに取り付けられ、前記制御部との間で前記第１近距離通信を行って前記情報を得る第１通信器（５０、９０）と、を備える。
また、本発明の第２態様による給水装置は、前記第１通信器が、前記第１近距離通信を行って得られた前記情報を、第２近距離通信（Ｃ２）を行って前記制御装置の外部の機器（３０、５０、６０）に送信する。
また、本発明の第２態様による給水装置は、前記外部の機器が、前記第１通信器との間で前記第２近距離通信を行って得られた前記情報を表示する表示部を備える端末装置（６０）である。
或いは、本発明の第２態様による給水装置は、前記制御装置を収容する筐体（１０）を備えており、前記外部の機器が、前記筐体に取り付けられ、前記第１通信器との間で前記第２近距離通信を行って前記情報を得る第２通信器（３０、５０）である。
また、本発明の第２態様による給水装置は、前記第２通信器が、前記第２近距離通信を行って得られた情報を表示する表示部を備える表示器である。
また、本発明の第２態様による給水装置は、前記第２通信器が、前記第２近距離通信を行って得られた前記情報を、第３近距離通信（Ｃ３）を行って前記筐体の外部の機器に送信する。
また、本発明の第２態様による給水装置は、前記第１通信器が、前記第１近距離通信を行って得られた情報を表示する表示部を備える内部表示器（９０）である。
本発明の第３態様による給水装置は、ポンプ（１１ａ，１１ｂ）を制御する制御装置（ＣＰ）を備える給水装置（４）において、前記制御装置を収容する筐体（１０）と、前記制御装置に設けられ、前記給水装置の状態を示す情報を出力する制御部（２０ａ）と、前記制御部に接続され、前記制御部から出力される前記情報を表示するととともに、第１近距離通信（Ｃ１）を行って前記情報を送信する内部表示器（９０ａ）と、前記筐体に取り付けられ、前記内部表示器との間で前記第１近距離通信を行って前記情報を得る通信器（５０）と、を備える。
また、本発明の第３態様による給水装置は、前記通信器が、前記第１近距離通信を行って得られた前記情報を、第２近距離通信（Ｃ２）を行って前記筐体の外部の機器（６０）に送信する。
また、本発明の第３態様による給水装置は、前記通信器が、前記第１近距離通信を行って得られた情報を表示する表示部を備える表示器である。
【発明の効果】
【００１０】
本発明によれば、制御装置を収容する筐体に通信器を取り付け、制御装置に設けられた制御部と通信器との間で行われる第１近距離通信により、制御部から通信器へ給水装置の状態を示す情報を送信するようにしているため、キャビネット又は屋外カバーを取り外すことなく運転状態や警報等を容易に確認することが可能であるという効果がある。
【図面の簡単な説明】
【００１１】
【図１】本発明の第１実施形態による給水装置の外観を示す図である。
【図２】本発明の第１実施形態による給水装置のキャビネット蓋が取り外された状態の正面図である。
【図３】図１（ａ）中のＡ−Ａ線に沿う模式的な断面矢視図である。
【図４】本発明の第１実施形態による給水装置に設けられる制御部及び表示器の要部構成を示すブロック図である。
【図５】本発明の第２実施形態による給水装置の模式的な断面矢視図である。
【図６】本発明の第２実施形態による給水装置に設けられる制御部及び表示器並びに外部表示器の要部構成を示すブロック図である。
【図７】本発明の第３実施形態による給水装置の外観を示す図である。
【図８】本発明の第３実施形態による給水装置の変形例を示す図である。
【図９】本発明の第４実施形態による給水装置のキャビネット蓋が取り外された状態の正面図である。
【図１０】本発明の第４実施形態による給水装置の模式的な断面矢視図である。
【図１１】本発明の第４実施形態による給水装置の第１変形例を示す断面矢視図である。
【図１２】本発明の第４実施形態による給水装置の第２変形例を示す断面矢視図である。
【図１３】キャビネットに対する表示器の取り付け位置の例を示す図である。
【発明を実施するための形態】
【００１２】
以下、図面を参照して本発明の実施形態による給水装置について詳細に説明する。
【００１３】
〔第１実施形態〕
図１は、本発明の第１実施形態による給水装置の外観を示す図である。尚、図１（ａ）は給水装置の正面図であり、図１（ｂ）はキャビネット蓋が取り外された状態の給水装置の右側面図である。図１に示す通り、本実施形態の給水装置１は、略直方体状の箱形に形成されたキャビネット１０（筐体）に収容されており、例えば建物内に設けられた機械室等に設置される。尚、給水装置１の設置は、建物内に限定される訳ではなく、屋外に設置されることもある。また、キャビネット１０は、ステンレス等の金属製であっても良く、樹脂製であっても良い。
【００１４】
給水装置１は、オフィスビルや集合住宅等の建物への給水に使用される給水装置である。給水装置１の吸込口１４は、その上流に不図示の水道本管又は受水槽といった水供給源が接続されている。給水装置１の吐出し口１９は、その下流に、不図示の配水管が接続されて建物の内部に配置された給水器具（例えば蛇口）に接続されている。給水装置１は、水供給源の水を加圧し建物の各給水器具に供給するためのポンプ装置である。
【００１５】
キャビネット１０は、キャビネット蓋１０ａとキャビネット本体１０ｂとからなる。キャビネット蓋１０ａは、キャビネット１０の正面側に配置され、キャビネット本体１０ｂから取り外し可能に構成されている。言い換えれば、キャビネット蓋１０ａがキャビネット本体１０ｂから取り外れたときに、キャビネット本体１０ｂ内の各機器の少なくとも正面側は露出するようになっている。このキャビネット１０は、第三者による操作を防止するために施錠が可能である。具体的に、キャビネット蓋１０ａの中央下部には鍵穴ＫＨが設けられており、例えば、鍵穴ＫＨに鍵を差し込んで反時計方向に廻せばキャビネット１０は解錠され、鍵穴ＫＨに鍵を差し込んで時計方向に廻すことでキャビネット１０は施錠される。
【００１６】
キャビネット１０が解錠された状態で、キャビネット蓋１０ａの下部を手前に引くことで、図１（ｂ）に示す通り、キャビネット蓋１０ａは、キャビネット本体１０ｂから取り外される。また、取り外されたキャビネット蓋１０ａの上部をキャビネット本体１０ｂの上部正面側に設けられた突起１０ｃに引っ掛けて、キャビネット蓋１０ａの下部をキャビネット本体１０ｂ側に押し込むことで、キャビネット蓋１０ａは、キャビネット本体１０ｂに装着される。キャビネット蓋１０ａがキャビネット本体１０ｂに装着された状態のときに、鍵穴ＫＨに鍵を差し込んで時計方向に廻すことでキャビネット１０は施錠される。
【００１７】
また、キャビネット蓋１０ａの内面（キャビネット蓋１０ａがキャビネット本体１０ｂに装着された状態でキャビネット１０の内部を向く面）には、給水装置１の状態（運転状態を含む）を示す情報を表示する表示器３０（通信器）が取り付けられている。図１に示す例では、キャビネット蓋１０ａを正面側から見た場合に、キャビネット蓋１０ａの右上隅に表示器３０が取り付けられている。尚、表示器３０の取り付け位置は、キャビネット蓋１０ａの右上隅に制限される訳ではなく、キャビネット蓋１０ａの任意の位置であって良い。また、表示器３０の取り付け位置は、キャビネット蓋１０ａに制限される訳ではなく、キャビネット本体１０ｂの任意の位置であって良い。詳細は後述するが、表示器３０は、配線を気にすることなくキャビネット蓋１０ａの取り外しを可能にするために、キャビネット１０内に収容される制御部との間で無線通信が可能になっている。
【００１８】
ここで、表示器３０はキャビネット１０に装着されるので、キャビネット１０の外部から表示器３０を直接参照することができる。キャビネット１０の内部に結露等が発生しても表示器３０を参照できる。また、キャビネット１０内に収容される制御部との間で無線通信を行うので、キャビネット１０に取り付けられた表示器３０と、キャビネット１０に収容された制御装置との間に配線（例えば、電源線や信号線）を設ける必要がなく、配線を気にすることなくキャビネット蓋１０ａの取り外し作業を行うことができる。
【００１９】
図２は、本発明の第１実施形態による給水装置のキャビネット蓋が取り外された状態の正面図である。図２に示す通り、給水装置１は、２台のポンプ１１ａ，１１ｂ、２つのモータ１２ａ，１２ｂ、２つのインバータ１３ａ，１３ｂ、吸込口１４、逆流防止弁１５、吸込ヘッダ１６、吐出ヘッダ１７、圧力タンク１８、吐出し口１９、及び制御盤ＣＰ（制御装置）を備える、これらは、図１に示したキャビネット１０内に収容されている。
【００２０】
ポンプ１１ａ，１１ｂは、キャビネット１０内の下部空間に設置された架台ＳＴ上に設置され、回転軸（図示省略）が鉛直方向に沿うように、横方向に並べて（並列に）設置されている。これらポンプ１１ａ，１１ｂは、モータ１２ａ，１２ｂによってそれぞれ駆動され、水を加圧して送水する。ポンプ１１ａ，１１ｂ、例えば、多段の渦巻型ポンプである。２台のポンプ１１ａ，１１ｂを並列に設けるのは、ポンプ１１ａ，１１ｂの何れか一方が故障した場合であっても給水を継続可能にするため、或いは給水量に応じてポンプ１１ａ，１１ｂを効率的に運転することで省エネルギーを実現するため等の理由による。
【００２１】
モータ１２ａ，１２ｂは、ポンプ１１ａ，１１ｂの上部側にそれぞれ設けられており、インバータ１３ａ，１３ｂによって駆動されることで、対応するポンプ１１ａ，１１ｂをそれぞれ駆動する。モータ１２ａ，１２ｂは、例えばＤＣブラシレスモータである。インバータ１３ａ，１３ｂは、ポンプ１１ａ，１１ｂの可変速手段であって、モータ１２ａ，１２ｂに対応してそれぞれ設けられており、制御盤ＣＰの制御の下で、対応するモータ１２ａ，１２ｂをそれぞれ可変速駆動する。インバータ１３ａ，１３ｂは、底面にヒートシンクが設けられたインバータケースに収容されており、モータ１２ａ，１２ｂの上部側に配置される。尚、インバータ１３ａ，１３ｂは、ＤＣリアクトルを含む場合がある。
【００２２】
ポンプ１１ａ，１１ｂの吸込口は、吸込ヘッダ１６に接続されており、ポンプ１１ａ，１１ｂの吐出し口は、吐出ヘッダ１７に接続されている。吸込ヘッダ１６は、逆流防止弁１５及び吸込口１４を介して、図示しない水道本管等の管路に接続されている。吐出ヘッダ１７は、ポンプ１１ａ，１１ｂよりも上方に設けられており、吐出ヘッダ１７に集められた水は、給水装置１の吐出し口１９を介して、図示しない末端の需要者までの配管管路に接続される。また、吐出ヘッダ１７の側方には、圧力タンク１８が設置されている。圧力タンク１８は、吐出し口１９に連通しており、加圧水を蓄圧（貯留）することでポンプ１１ａ，１１ｂの頻繁な起動停止を防止するとともに、ポンプ１１ａ，１１ｂが停止している間の吐出側圧力を保持するための圧力保持器である。
【００２３】
圧力タンク１８の側方には、制御盤ＣＰが設置されている。制御盤ＣＰは、キャビネット１０の側壁（図２に示す例では、右側壁）の内面に沿って取り付けられている。制御盤ＣＰは、ポンプ１１ａ，１１ｂや圧力タンク１８等の給水装置１内の通水部を取り外してメンテナンスするとき等に、制御盤ＣＰ内の各機器が被水しないようにケースＣＳを備え、ケースＣＳ内に制御部２０及び電源部（不図示）を収容する。電源部には、入力電源端子、漏電遮断器、ＤＣリアクトル、ノイズフィルタ、ＡＣ／ＤＣコンバータ等を備える。このケースＣＳは、ステンレス等の金属製であっても良く、樹脂製であっても良い。
【００２４】
ケースＣＳは、蓋体ＣＳ１とケース本体ＣＳ２とで形成されている。制御部４０は、ケース本体ＣＳ２内に配置され、蓋体ＣＳ１は、少なくともケースＣＳの前面を形成する面の一部を含むとよい。制御盤ＣＰのケースＣＳ内の各機器をメンテナンスするために、蓋体ＣＳ１と、ケース本体ＣＳ２とは取り外し可能（或いは、開閉可能）である。
【００２５】
図３は、図１（ａ）中のＡ−Ａ線に沿う模式的な断面矢視図である。図３に示す通り、キャビネット蓋１０ａの内面には、図１を用いて説明した表示器３０が取り付けられており、制御盤ＣＰには制御部２０が設けられている。尚、制御部２０は、キャビネット蓋１０ａがキャビネット本体１０ｂに装着された状態で、表示器３０に近接する位置（例えば、表示器３０から数センチメートル程度離間する位置）に配置されている。
【００２６】
制御部２０は、キャビネット蓋１０ａに取り付けられた表示器３０との間で無線通信を行って、給水装置１の状態を示す情報を表示器３０に送信する。表示器３０は、制御部２０との間で無線通信を行って制御部２０から得た情報を表示する。本実施形態では、制御部２０と表示器３０との間の無線通信が第１近距離通信Ｃ１である。第１近距離通信Ｃ１は、例えばＷｉ−Ｆｉ（登録商標）やＢｌｕｅｔｏｏｔｈ（登録商標）等の無線通信、或いはＮＦＣ（Near Field Communication）等の近距離無線通信である。尚、以下では、ＮＦＣにて第１近距離通信Ｃ１を行う場合を例に挙げて説明する。
【００２７】
図４は、本発明の第１実施形態による給水装置に設けられる制御部及び表示器の要部構成を示すブロック図である。図４に示す通り、制御部２０は、Ｉ／Ｏ部２１、演算部２２、記憶部２３、設定部２４、ＤＣ電源２５、データライタ２６、及び制御部側アンテナ部２７を備える。Ｉ／Ｏ部２１は、インバータ１３ａ，１３ｂ及び吐出ヘッダ１７内の圧力を検出する不図示の圧力センサ等の各種センサと接続されており、各種センサの検出結果を演算部２２に出力するとともに演算部２２からの指令信号（例えば、ポンプ１１ａ，１１ｂの回転速度）をインバータ１３ａ，１３ｂへ出力する。また、Ｉ／Ｏ部２１は、給水装置１の状態を接点信号や通信を用いて、外部へ出力する不図示の外部出力端子を備えてもよいし、給水装置１の各種状態を表示するＧＵＩ（Graphical User Interface）を備えてもよい。
【００２８】
演算部２２は、例えばＣＰＵ（中央処理装置）によって実現され、Ｉ／Ｏ部２１を介して入力される各種センサ等の検出結果に基づいて、モータ１２ａ，１２ｂに出力する指令信号を演算し、その指令信号をＩ／Ｏ部２１に出力する。例えば、吐出ヘッダ１７内の圧力を検出する圧力センサ（図示省略）の信号（現在圧ＰＶ）を受けて、設定圧ＰＡに対して既知の吐出圧力一定制御又は推定末端圧一定制御の演算を行い、目標圧ＳＶを算出して、現在圧ＰＶが目標圧ＳＶとなるように、ポンプ１１ａ，１１ｂの回転速度を制御する。また、演算部２２は、給水装置１の状態を示す情報（吐出し圧力、回転数、積算運転時間、積算運転回数等）を求めて記憶部２３に記憶させる。記憶部２３は、演算部２２で用いられる各種情報、及び演算部２２で求められた各種情報を記憶する各種メモリを備える。
【００２９】
設定部２４は、給水装置１の運転制御に関する各種設定値の設定を行う部位である。この設定部２４には、例えば各種操作ボタンが設けられている。設定部２４は、これらのボタンの操作状況に応じて、給水装置１の運転制御に関する各種設定値の設定を行う。尚、設定部２４で設定された各種設定値は、記憶部２３に記憶される。
【００３０】
ＤＣ電源２５は、制御部側アンテナ部２７等に対する電力の供給を行う電源であり、給水装置１の主電源より不図示のＡＣ／ＤＣコンバータを介して供給される。データライタ２６は、記憶部２３に記憶された各種情報を読み出して、制御部側アンテナ部２７を介して表示器３０に送信する。制御部側アンテナ部２７は、ＤＣ電源２５から供給される電力を用いて、表示器３０を動作させるための電力を非接触で表示器３０に給電する。また、制御部側アンテナ部２７は、データライタ２６から出力される各種情報を無線信号にして外部に送信する。
【００３１】
図４に示す通り、表示器３０は、表示器側アンテナ部３１、集積回路３２、及び表示部３３を備える。これら表示器側アンテナ部３１、集積回路３２、及び表示部３３は、制御部２０から非接触で給電される電力によって動作する。表示器側アンテナ部３１は、制御部２０に設けられた制御部側アンテナ部２７から非接触で給電される電力を受電するとともに、制御部側アンテナ部２７との間で第１近距離通信Ｃ１を行って制御部２０から送信されてくる各種情報を受信する。尚、表示器３０は、更にバッテリを備え、制御部２０から非接触で給電される電力を蓄電してもよい。その場合、表示器３０は、バッテリに蓄電した電力により動作してもよい。また、表示器３０が何かしら電源の供給源を備えており、その電源にて動作できる場合は、制御部２０は、表示器３０を動作させるための電力を表示器３０に給電しなくてもよい。
【００３２】
集積回路３２は、制御部２０から送信されてきて、表示器側アンテナ部３１で受信された各種情報を記憶するとともに、これら各種情報に基づいて表示部３３の表示制御を行う。表示部３３は、７セグメントＬＥＤ、ＬＥＤ等の表示ランプ、或いは液晶表示素子の表示素子を備えており、集積回路３２の制御の下で、給水装置１の状態を示す情報を表示するＧＵＩである。
【００３３】
また、表示器３０には、不図示の操作部を備えてもよい。表示器３０の操作部は、給水装置１の運転制御に関する各種設定値の変更や、ポンプ１１ａ，１１ｂの自動運転の運転停止の切り替え、ポンプ１１ａ，１１ｂの自動運転と試験運転の切り替え等を行う。具体的に、表示器３０の操作部には、例えば各種操作ボタンが設けられており、これらのボタンの操作状況に応じて、給水装置１の運転制御に関する各種情報の変更を行うことができる。より具体的には、ボタンによる操作に関する各種情報を集積回路３２にて記憶し、更に、制御部側アンテナ部２７との間で第１近距離通信Ｃ１を行って制御部２０へ送信する。尚、制御部２０へ送信された各種情報は、記憶部２３に記憶されるとよい。
【００３４】
このような表示器３０は、図１（ａ）に示す通り、キャビネット１０の外部から視認可能な状態で、キャビネット蓋１０ａの内面に取り付けられている。尚、表示器３０は、表示部３３がキャビネット蓋１０ａの外部に露出するようにキャビネット蓋１０ａの内面に取り付けられていても良い。或いは、表示器３０は、表示部３３がキャビネット蓋１０ａに設けられた透明窓に密接する状態でキャビネット蓋１０ａの内面に取り付けられていても良い。これにより、表示器３０の表示部３３を、外部から直接、或いは透明窓を介して視認可能である。尚、給水装置１は屋外に設置されることがあるため、表示器３０の取り付け部分から雨水等が侵入しない構成とされるとよい。一例として、表示器３０とキャビネット蓋１０ａとの間にシール部材を挟み防水するとよい。
【００３５】
次に、上記構成における給水装置１の動作について説明する。尚、ここでは、キャビネット蓋１０ａがキャビネット本体１０ｂに取り付けられる際の動作について説明する。キャビネット蓋１０ａの上部を、キャビネット本体１０ｂの上部正面側に設けられた突起１０ｃ（図１（ｂ）参照）に引っ掛けて、キャビネット蓋１０ａの下部をキャビネット本体１０ｂ側に押し込むことで、キャビネット蓋１０ａは、キャビネット本体１０ｂに装着される。すると、キャビネット蓋１０ａの内面に取り付けられた表示器３０が、制御盤ＣＰに設けられた制御部２０の近傍に配置される。尚、この状態で鍵穴ＫＨに鍵を差し込んで時計方向に廻すことでキャビネット１０は施錠される。
【００３６】
制御部２０は、通電中は常に表示器３０の電力供給用の電波を発する。表示器３０が、制御部２０の近傍に位置する表示器３０の表示器側アンテナ部３１で、その電波を受信すると、表示器側アンテナ部３１において起電力が生ずる。この起電力は、表示器３０の集積回路３２及び表示部３３に供給され、これにより表示器３０の表示器側アンテナ部３１、集積回路３２、及び表示部３３が通電状態になる。
【００３７】
制御部２０では、記憶部２３に記憶された各種情報がデータライタ２６によって読み出される。例えば、給水装置１の運転状態を示す情報、故障を示す情報、及び吐出し圧力を示す情報等が読み出される。データライタ２６によって読み出された情報は、制御部側アンテナ部２７にて出力され、第１近距離通信Ｃ１によって表示器３０に送信される。
【００３８】
制御部２０から表示器３０に送信された情報は、表示器３０の表示器側アンテナ部３１で受信された後に集積回路３２に出力されて記憶される。そして、表示器３０では、集積回路３２によって、制御部２０から表示器３０に送信された情報に基づく表示部３３の表示制御が行われる。例えば、給水装置１の運転状態を示す情報が「運転中」である旨を示す場合には、運転中を示すランプ（運転ランプ）を点灯させる表示制御が行われる。また、給水装置１の故障を示す情報に応じて、故障を示すランプ（故障ランプ）を点灯又は点滅させる表示制御が行われる。更に、給水装置１の設定圧ＰＡ、現在圧ＰＶを示す情報に応じて、設定圧ＰＡ、現在圧ＰＶ等の各種情報を７セグメントＬＥＤ等の表示器に表示させる表示制御が行われる。
【００３９】
以上説明した表示器３０が通電状態となった以降の一連の制御部２０と表示器３０との通信に関わる動作は、予め規定された周期で繰り返し行われる。これにより、表示器３０の表示部３３には、上記の周期に応じて給水装置１の状態を示す情報が連続的、或いは間欠的に更新される。具体的に、上記の周期が短い場合（例えば、１秒以下の場合）には、給水装置１の状態を示す情報が連続的に更新され、上記の周期が長い場合（例えば、数十秒程度以上の場合）には、給水装置１の状態を示す情報が間欠的に更新される。表示部３３には、更新のタイミングにて最新の情報が表示されるとよい。上記の周期は、集積回路３２や演算部２２が実行する処理量にて規定されることもある。
【００４０】
以上の通り、本実施形態では、キャビネット蓋１０ａの内面に表示器３０を取り付け、キャビネット蓋１０ａがキャビネット本体１０ｂに装着されたときに、表示器３０の表示器側アンテナ部３１が、制御盤ＣＰに設けられた制御部２０の制御部側アンテナ部２７の近傍に配置されるようにしている。そして、給水装置１の状態を示す情報を、制御部２０から第１近距離通信Ｃ１（ＮＦＣ）によって表示器３０に送信して表示器３０の表示部３３に表示するようにしている。
【００４１】
このため、制御盤ＣＰに設けられた制御部２０と表示器３０との間に通信線を配線する必要が無い。また、制御部２０から表示器３０へ非接触で電力が供給されるため、表示器３０には電力線を配線する必要も無い。このように、制御部２０と表示器３０との間には配線がないことから、キャビネット本体１０ｂからキャビネット蓋１０ａを取り外したり、キャビネット本体１０ｂにキャビネット蓋１０ａを装着したりするときに、配線を気にする必要が無い。
【００４２】
ここで、表示器３０は、表示部３３がキャビネット蓋１０ａの外部に露出するように、キャビネット蓋１０ａの内面に取り付け可能である。このように取り付けられている場合には、キャビネット１０の外部から表示器３０の表示部３３を直接視認することができ、従来のように透明窓を介して表示器３０の内容を視認する必要がないことから、運転状態や警報等を容易に確認することが可能である。また、表示器３０は、表示部３３がキャビネット蓋１０ａに設けられた透明窓に密接するように、キャビネット蓋１０ａの内面に取り付け可能である。このように取り付けられている場合には、表示部３３が透明窓から離れている場合に比べて視認性を向上させることができ、また、キャビネット蓋１０ａに設けられた透明窓の内側が結露によって曇ることを防止することができるため、表示部３３に表示される運転状態や警報等を容易に確認することが可能である。
【００４３】
給水装置１は、ポンプ１１ａ，１１ｂを制御する制御装置である制御盤ＣＰを収容する筐体であるキャビネット１０と、制御盤ＣＰ（制御装置）に設けられ第１近距離通信Ｃ１を行って給水装置１の状態を示す情報を送信する制御部２０と、キャビネット１０（筐体）に取り付けられ、制御部２０との間で第１近距離通信Ｃ１を行って情報を得る通信器である表示器３０と、を備える。これにより、キャビネット本体１０ｂからキャビネット蓋１０ａを取り外したり、キャビネット本体１０ｂにキャビネット蓋１０ａを装着したりするときに、配線を気にする必要が無くなり、キャビネット本体１０ｂとキャビネット蓋１０ａの着脱が容易となる。また、表示器３０に表示される運転状態や警報等を容易に確認することができる。
【００４４】
〔第２実施形態〕
図５は、本発明の第２実施形態による給水装置の模式的な断面矢視図である。本実施形態の給水装置２の外観及び内部構成は、図１，図２に示す第１実施形態の給水装置１の外観及び内部構成とほぼ同様である。尚、図５は、図３に相当する図である。図５に示す通り、本実施形態の給水装置２は、制御盤ＣＰに設けられた制御部４０と、キャビネット蓋１０ａに取り付けられた表示器５０（通信器）とを備えており、制御部４０と表示器５０との間で無線通信を行って、給水装置２の状態を示す情報をキャビネット蓋１０ａに取り付けられた表示器５０に表示するものである。
【００４５】
また、本実施形態の給水装置２は、キャビネット１０の外部の機器である端末装置６０（外部の機器）と無線通信を行って、給水装置２の状態を示す情報を端末装置６０の表示部６４に表示可能とするものである。尚、本実施形態では、制御部４０と表示器５０との間の無線通信が第１近距離通信Ｃ１であり、表示器５０と端末装置６０との間の無線通信が第２近距離通信Ｃ２である。本実施形態の第１近距離通信Ｃ１及び第２近距離通信Ｃ２は、ＮＦＣにて通信を行う場合を例に挙げて説明する。
【００４６】
表示器５０は、図３に示す表示器３０と同様に、キャビネット１０の外部から視認可能な状態で、キャビネット蓋１０ａの内面に取り付けられている。例えば、表示器５０は、表示部５４（図６参照）がキャビネット蓋１０ａの外部に露出するようにキャビネット蓋１０ａの内面に取り付けられていても良く、表示部５４がキャビネット蓋１０ａに設けられた透明窓に密接する状態でキャビネット蓋１０ａの内面に取り付けられていても良い。これにより、表示器３０の表示部３３を、外部から直接、或いは透明窓を介して視認可能である。
【００４７】
図６は、本発明の第２実施形態による給水装置に設けられる制御部及び表示器並びに外部表示器の要部構成を示すブロック図である。図６に示す通り、制御部４０は、Ｉ／Ｏ部４１、演算部４２、記憶部４３、メンテナンスポート４４、ＤＣ電源４５、リーダライタ４６、及び制御部側アンテナ部４７を備える。Ｉ／Ｏ部４１、演算部４２、記憶部４３、ＤＣ電源４５、及び制御部側アンテナ部４７はそれぞれ、図４に示すＩ／Ｏ部２１、演算部２２、記憶部２３、ＤＣ電源２５、及び制御部側アンテナ部２７と同様のものである。
【００４８】
メンテナンスポート４４は、給水装置２のメンテナンス時に、作業者によって使用されるポートである。このポートは、通常は、カバー等によって覆われて外部から隠された状態にされている。このポートは、通信（無線・有線）にてメンテナンスで用いられる保守機器（パソコン、スマートフォン、タブレット等の汎用の情報機器や専用の情報機器等）が接続可能であり、例えば記憶部４３に記憶された各種情報を保守機器に読み出すために用いられる。リーダライタ４６は、図４に示すデータライタ２６と同様に、記憶部４３に記憶された各種情報を読み出して、制御部側アンテナ部４７を介して表示器５０に送信し、或いは、制御部側アンテナ部４７で受信された各種情報を読み出して記憶部４３に記憶させる。
【００４９】
図６に示す通り、表示器５０は、表示器側アンテナ部５１、制御部用集積回路５２、リーダライタ５３、表示部５４、外部表示器用集積回路５５、及び表示器側アンテナ部５６を備える。表示器側アンテナ部５１、制御部用集積回路５２、リーダライタ５３、及び表示部５４は、制御部４０から非接触で給電される電力によって動作し、外部表示器用集積回路５５及び表示器側アンテナ部５６は、端末装置６０から非接触で給電される電力によって動作する。尚、外部表示器用集積回路５５は、制御部用集積回路５２にて代用してもよい。その場合、制御部用集積回路５２と表示器側アンテナ部５６とが接続される。また、表示器５０が独自の電源で動作できれば、制御部４０又は端末装置６０は、表示器５０に給電しなくてもよい。
【００５０】
表示器側アンテナ部５１、制御部用集積回路５２、及び表示部５４はそれぞれ、図４に示す表示器側アンテナ部３１、集積回路３２、及び表示部３３と同様のものである。リーダライタ５３は、表示器側アンテナ部５１と外部表示器用集積回路５５との間で各種情報の授受を行う。外部表示器用集積回路５５は、端末装置６０から送信されてきて、表示器側アンテナ部５６で受信された各種情報を記憶する。表示器側アンテナ部５６は、端末装置６０に設けられた外部表示器側アンテナ部６１から非接触で給電される電力を受電するとともに、外部表示器側アンテナ部６１との間で第２近距離通信Ｃ２を行って端末装置６０から送信されてくる各種情報を受信する。
【００５１】
図６に示す通り、端末装置６０は、外部表示器側アンテナ部６１、バッテリ６２、リーダライタ６３、及び表示部６４を備えており、表示器５０と第２近距離通信Ｃ２を行って、給水装置２の状態を示す情報を表示部６４に表示する。この端末装置６０は、例えばスマートフォン、タブレット、パソコン等の汎用情報機器又は遠方監視器等の専用端末によって実現される。外部表示器側アンテナ部６１は、バッテリ６２から供給される電力を用いて、表示器５０の表示器側アンテナ部５６及び外部表示器用集積回路５５を動作させるための電力を非接触で表示器５０に給電する。また、外部表示器側アンテナ部６１は、表示器側アンテナ部５６から出力される各種情報を受信する。
【００５２】
バッテリ６２は、外部表示器側アンテナ部６１等に対する電力の供給を行う電源である。リーダライタ６３は、外部表示器側アンテナ部６１で受信された各種情報を読み出して表示部６４に出力する。或いは、リーダライタ６３は、不図示の入力部から入力された設定値や給水装置２の運転や停止指令等を外部表示器側アンテナ部６１に送ることによって、第２近距離通信Ｃ２から第１近距離通信Ｃ１を経て記憶部４３に記憶させることもできる。表示部６４は、例えば液晶表示器等の表示器を備えており、表示器５０から得られた給水装置２の状態を示す情報を表示する。尚、端末装置６０がスマートフォンやタブレット等によって実現される場合には、表示部６４がタッチパネルを備えていることから、表示部６４が上記の入力部になる。
【００５３】
次に、上記構成における給水装置２の状態を示す情報を表示する動作について説明する。給水装置２の状態を示す情報を表示する動作は、制御部４０から表示器５０へ給水装置２の状態を示す情報を送信する動作と、端末装置６０が給水装置２の状態を示す情報を表示器５０から取得して、表示部６４に表示する動作とに大別される。前者の動作は、第１実施形態で説明した動作とほぼ同様であるため説明を省略し、以下では、後者の動作（給水装置２の状態を示す情報を端末装置６０が取得して表示部６４に表示する動作）について説明する。尚、説明を簡単にするために、表示器５０に設けられた制御部用集積回路５２及び外部表示器用集積回路５５には同じ情報が記憶されているとする。
【００５４】
給水装置２のキャビネット蓋１０ａに取り付けられた表示器５０に対し、端末装置６０が近接配置された状態にされたとする。この状態のときに、端末装置６０から電力供給用の電波が発せられると、その電波は、表示器５０の表示器側アンテナ部５６で受信される。すると、表示器側アンテナ部５６において起電力が生ずる。この起電力は、表示器５０の外部表示器用集積回路５５に供給され、これにより外部表示器用集積回路５５が通電状態になる。
【００５５】
すると、外部表示器用集積回路５５は記憶しているデータ（例えば、給水装置２の運転状態を示す情報、故障を示す情報、及び吐出し圧力を示す情報等）を、表示器側アンテナ部５６に出力する。表示器側アンテナ部５６に出力されたデータは、第２近距離通信Ｃ２によって端末装置６０に送信される。
【００５６】
表示器５０から端末装置６０に送信された給水装置２の状態を示す情報は、端末装置６０の外部表示器側アンテナ部６１で受信された後にリーダライタ６３を介して表示部６４に出力される。そして、表示部６４では、表示器５０から端末装置６０に送信された給水装置２の状態を示す情報に基づいた表示が行われる。前述の通り、端末装置６０の表示部６４には、例えば液晶表示器等の表示器が設けられていることから、多様な表示が可能である。例えば、給水装置２の運転状態を示す情報、故障を示す情報、及び吐出し圧力を示す情報等を、例えばアイコン等を用いてアニメーションにて表示しても良い。
【００５７】
以上の通り、本実施形態では、第１近距離通信Ｃ１及び第２近距離通信Ｃ２が可能な表示器５０をキャビネット蓋１０ａの内面に取り付け、給水装置２の状態を示す情報を、制御部４０から表示器５０に第１近距離通信Ｃ１によって送信し、更には表示器５０から端末装置６０に第２近距離通信Ｃ２によって送信して端末装置６０の表示部６４に表示するようにしている。言い換えれば、給水装置２において、通信器である表示器５０は、第１近距離通信Ｃ１を行って得られた給水装置１の情報を、第２近距離通信Ｃ２を行って筐体であるキャビネット１０の外部の機器である端末装置６０に送信する。これにより、給水装置２が作業性の悪い環境に設置されていてキャビネット蓋１０ａを取り外すことが困難な状況下でも、給水装置２の外部から運転状態や警報等の多様な情報を容易に確認することができる。
【００５８】
また、本実施形態では、第１実施形態と同様に、制御部４０と表示器５０との間には配線がないことから、キャビネット本体１０ｂからキャビネット蓋１０ａを取り外したり、キャビネット本体１０ｂにキャビネット蓋１０ａを装着したりするときに、配線を気にする必要が無い。また、表示器５０は、第１実施形態の表示器３０と同様に、キャビネット蓋１０ａに取り付けられ、キャビネット１０の外部から表示器５０の表示部５４を直接視認することができ、或いは結露による曇りを防止することができるため、運転状態や警報等を容易に確認することが可能である。
【００５９】
給水装置２は、ポンプ１１ａ，１１ｂを制御する制御装置である制御盤ＣＰを収容する筐体であるキャビネット１０と、制御盤ＣＰ（制御装置）に設けられ第１近距離通信Ｃ１を行って給水装置１の状態を示す情報を送信する制御部２０と、キャビネット１０（筐体）に取り付けられ、制御部２０との間で第１近距離通信Ｃ１を行って情報を得るとともに、第１近距離通信Ｃ１を行って得られた情報を、第２近距離通信を行って筐体の外部の機器である端末装置６０に送信する通信器である表示器５０と、を備える。これにより、キャビネット本体１０ｂからキャビネット蓋１０ａを取り外したり、キャビネット本体１０ｂにキャビネット蓋１０ａを装着したりするときに、配線を気にする必要が無くなり、キャビネット本体１０ｂとキャビネット蓋１０ａの着脱が容易となる。また、表示器５０に表示される運転状態や警報等を容易に確認することができる。
【００６０】
〔第３実施形態〕
図７は、本発明の第３実施形態による給水装置の外観を示す図である。尚、図７（ａ）は給水装置の平面図であり、図７（ｂ）は給水装置の正面図であり、図７（ｃ）は給水装置の左側面図である。図７においては、図１，図２，図５に示した構成に相当する構成については同一の符号を付してある。
【００６１】
図７に示す通り、本実施形態の給水装置３は、略矩形の平板状の部材であるベース７０上に、２台のポンプ１１ａ，１１ｂ、２つのモータ１２ａ，１２ｂ、圧力タンク１８、制御盤ＣＰ等が設けられた構成である。前述した第１，第２実施形態の給水装置１，２は主要な構成要素（ポンプ１１ａ，１１ｂ、２つのモータ１２ａ，１２ｂ、圧力タンク１８、制御盤ＣＰ等）がキャビネット１０内に収容されたものであった。これに対し、本実施形態の給水装置３は、主要な構成要素の一部（制御部４０、不図示のインバータ、不図示の電源部）が制御盤ＣＰのケースＣＳ内に収容され、主要な構成要素の残り（ポンプ１１ａ，１１ｂ、２つのモータ１２ａ，１２ｂ、圧力タンク１８等）が、ケースＣＳの外部に配置されている。尚、本実施形態のポンプ１１ａ，１１ｂは、横軸形ポンプである。
【００６２】
ポンプ１１ａ，１１ｂの吸込口には吸込部７１ａ，７１ｂが設けられており、ポンプ１１ａ，１１ｂの吐出し口には吐出部７２ａ，７２ｂが設けられている。吐出配管７３は略Ｔ字状の配管であり、フロースイッチ７４ａ，７４ｂ及びチェッキ弁（逆止弁）７５ａ，７５ｂを介してその両端がポンプ１１ａ，１１ｂの吐出部７２ａ，７２ｂにそれぞれ接続されている。また、吐出配管７３の中央には１つの吐出し合流管７６が設けられている。
【００６３】
これによって、ポンプ１１ａ，１１ｂの吐出側は並列に接続され、ポンプ１１ａ，１１ｂの吐出流体は合流する。また、チェッキ弁７５ａ，７５ｂによって、ポンプ１１ａ，１１ｂが停止したときに吐出配管７３内の水はポンプ１１ａ，１１ｂ側に逆流しない。また、吐出配管７３の中央の下部には、吐出配管７３を圧力タンク１８に連結する連結配管７７が取り付けられている。更に、吐出配管７３には配管内圧力を検出する圧力検知器７８が取り付けられている。そして、圧力タンク１８とチェッキ弁７５ａ，７５ｂとの効果によって、ポンプ１１ａ，１１ｂが停止した後の吐出配管７３内の圧力は、水が使用されない限り、一定圧力に保持される。
【００６４】
制御盤ＣＰは、ケースＣＳを備える。本実施形態におけるケースＣＳは、縦、横、及び奥行きの寸法は異なるものの、図３に示すケースＣＳと同様に、略直方体状の箱形である。このケースＣＳは、ステンレス等の金属製であっても良く、樹脂製であっても良い。制御盤ＣＰは、例えば圧力検知器７８の検出結果に基づいて、末端の需要者における給水水圧が所定の圧力となるように、ポンプ１１ａ，１１ｂを可変速運転するための制御等を行う制御部４０を備える。
【００６５】
尚、ケースＣＳは、表示器５０（第１通信器）が取り付けられている蓋体ＣＳ１とケース本体ＣＳ２とで形成されている。制御部４０は、ケース本体ＣＳ２内に設けられ、表示器５０は、ケースＣＳの外部から視認可能な状態で、蓋体ＣＳ１の内面に取り付けられている。尚、表示器５０が取り付けられた蓋体ＣＳ１と、制御部４０が収容されたケース本体ＣＳ２とは着脱可能であり、更にキャビネット１０と同様に悪戯防止の鍵を備えてもよい。      
【００６６】
本実施形態の給水装置３では、第２実施形態と同様に、ケースＣＳ内に収容された制御部４０と表示器５０との間で無線通信が行われ、表示器５０と端末装置６０との間で無線通信が行われる。制御部４０と表示器５０との間の無線通信が第１近距離通信Ｃ１であり、表示器５０と端末装置６０との間の無線通信が第２近距離通信Ｃ２である。本実施形態の第１近距離通信Ｃ１及び第２近距離通信Ｃ２も、ＮＦＣにて通信を行うとよい。
【００６７】
これにより、給水装置３の状態を示す情報が、制御部４０から表示器５０へ第１近距離通信Ｃ１によって送信されて表示器５０に表示される。端末装置６０を表示器５０に近接させることで、表示器５０と端末装置６０との間で第２近距離通信Ｃ２が行われ、表示器５０に送信された給水装置３の状態を示す情報が、表示器５０から端末装置６０へ送信されて端末装置６０に表示される。
【００６８】
以上の通り、本実施形態では、第２実施形態と同様に、第１近距離通信Ｃ１及び第２近距離通信Ｃ２が可能な表示器５０を蓋体ＣＳ１に取り付け、給水装置３の状態を示す情報を、制御部４０から表示器５０に第１近距離通信Ｃ１によって送信し、更には表示器５０から端末装置６０に第２近距離通信Ｃ２によって送信して端末装置６０に表示するようにしている。これにより、給水装置３が作業性の悪い環境に設置されていて蓋体ＣＳ１を取り外すことが困難な状況下でも給水装置３の外部から運転状態や警報等の多様な情報を容易に確認することができる。
【００６９】
また、本実施形態では、第２実施形態と同様に、制御部４０と表示器５０との間には配線がないことから、蓋体ＣＳ１を取り外したり、蓋体ＣＳ１を装着したりするときに、配線を気にする必要が無いため、蓋体ＣＳ１とケース本体ＣＳ２との着脱の作業性が向上する。また、表示器５０は、第２実施形態と同様に、蓋体ＣＳ１に取り付けられ、給水装置３の外部から表示器５０を直接視認することができ、或いは結露による曇りを防止することができるため、運転状態や警報等を容易に確認することが可能である。
【００７０】
給水装置３は、ポンプ１１ａ，１１ｂを制御する制御装置である制御盤ＣＰのケースＣＳ内に収容され、第１近距離通信Ｃ１を行って給水装置３の状態を示す情報を送信する制御部４０と、制御盤ＣＰ（制御装置）のケースＣＳに取り付けられ、制御部４０との間で第１近距離通信Ｃ１を行って情報を得る第１通信器である表示器５０と、備える。これにより、蓋体ＣＳ１を取り外したり、蓋体ＣＳ１を装着したりするときに、配線を気にする必要が無くなり、蓋体ＣＳ１とケース本体ＣＳ２との着脱の作業性が向上する。また、表示器５０に表示される運転状態や警報等を容易に確認することができる。
【００７１】
図８は、本発明の第３実施形態による給水装置の変形例を示す図である。尚、図８（ａ）は給水装置の平面断面図であり、図８（ｂ）は給水装置の左側面断面図である。図８においては、図７に示した構成に相当する構成については同一の符号を付してある。但し、図８では、本変形例の説明に必要な符号のみを付している。図８に示す通り、本変形例において、給水装置３Ａは、図７に示した給水装置３に相当するものを給水装置本体３ａと称して、給水装置本体３ａ全体が屋外カバーＣＶ（筐体）に覆われた状態で屋外に設置されている。
【００７２】
屋外カバーＣＶは、給水装置本体３ａの正面側、右側面側、背面側、左側面側及び天井面の少なくとも一部が着脱可能な組み立て式であって、本変形例では、カバー本体部ＣＶ１とカバー蓋部ＣＶ２とからなる。カバー本体部ＣＶ１は、四角環状の筒状部材であり、給水装置本体３ａの正面側、右側面側、背面側、及び左側面側を覆うように設置される。本変形例における屋外カバーＣＶは、縦、横、及び奥行きの寸法は異なるものの、図１に示すキャビネット１０と同様に、略直方体状の箱形であり、給水装置本体３ａの各機器を直射日光や雨風等の外的環境から保護する筐体である。
【００７３】
カバー本体部ＣＶ１の背面には、屋外カバーＣＶの外部から視認可能な状態で、表示器５０（通信器）が取り付けられている。尚、本変形例では、制御盤ＣＰ内の表示器５０（図７参照）は省略されている。カバー蓋部ＣＶ２は、平面視でカバー本体部ＣＶ１よりも若干大きな略矩形の平板状の部材であり、カバー本体部ＣＶ１の上部の開口を覆うように、カバー本体部ＣＶ１の上部に載置され、ボルト等の固定具にて固定される。カバー本体部ＣＶ１とカバー蓋部ＣＶ２がボルト等の固定具にて固定されることで、第三者による不正な操作が防止される。
【００７４】
本変形例では、屋外カバーＣＶ内の制御盤ＣＰに収容された制御部４０と屋外カバーＣＶに取り付けられた表示器５０との間で無線通信が行われ、表示器５０と端末装置６０との間で無線通信が行われる。尚、本変形例では、制御部４０と表示器５０との間の無線通信が第１近距離通信Ｃ１であり、表示器５０と端末装置６０との間の無線通信が第２近距離通信Ｃ２である。本変形例の第１近距離通信Ｃ１及び第２近距離通信Ｃ２も、ＮＦＣにて通信を行うとよい。
【００７５】
これにより、給水装置３Ａの状態を示す情報が、制御部４０から表示器５０へ第１近距離通信Ｃ１によって送信されて表示器５０に表示される。また、表示器５０に送信された給水装置３Ａの状態を示す情報が、表示器５０から、端末装置６０へ第２近距離通信Ｃ２によって送信されて端末装置６０に表示される。
【００７６】
屋外カバーＣＶには、図５に示すキャビネット１０と同様に、表示器５０が設けられており、給水装置本体３ａの各機器（例えば、ポンプ１１ａ，１１ｂ、モータ１２ａ，１２ｂ、圧力タンク１８等）をメンテナンスするときには、表示器５０が屋外カバーＣＶと一緒に取り外される。具体的には、カバー蓋部ＣＶ２をカバー本体部ＣＶ１から取り外した後に、給水装置本体３ａを覆うカバー本体部ＣＶ１の全体又は側面の一部を撤去する等して、給水装置本体３ａを露出させる。
【００７７】
以上の通り、本変形例では、第１近距離通信Ｃ１及び第２近距離通信Ｃ２が可能な表示器５０を屋外カバーＣＶに取り付けている。そして、給水装置３Ａの状態を示す情報を、制御部４０から表示器５０に第１近距離通信Ｃ１によって送信し、更には表示器５０から端末装置６０に第２近距離通信Ｃ２によって送信して端末装置６０に表示するようにしている。これにより、給水装置本体３ａが屋外カバーＣＶに覆われていても、屋外カバーＣＶの外部から運転状態や警報等の多様な情報を容易に確認することができる。
【００７８】
また、本変形例においても、制御部４０と表示器５０との間には配線がないことから、屋外カバーＣＶを給水装置本体３ａから取り外したり、屋外カバーＣＶを装着したりするときに、配線を気にする必要が無い。
【００７９】
給水装置３Ａは、ポンプ１１ａ，１１ｂを制御する制御装置である制御盤ＣＰを収容する筐体である屋外カバーＣＶと、制御盤ＣＰ（制御装置）に設けられ、第１近距離通信を行って給水装置３Ａの状態を示す情報を送信する制御部４０と、屋外カバーＣＶ（筐体）に取り付けられ、制御部４０との間で前記第１近距離通信を行って情報を得る通信器である表示器５０とを備える。これにより、給水装置本体３ａが屋外カバーＣＶに覆われていても、屋外カバーＣＶの外部から運転状態や警報等の多様な情報を容易に確認することができる。屋外カバーＣＶの着脱時に配線を気にする必要が無く作業性が向上する。
【００８０】
尚、本変形例では、屋外カバーＣＶに通信器である表示器５０を取り付けたが、第３実施形態と同様に、制御盤ＣＰに通信器（表示器５０）を設けてもよい。このような構成にした場合には、屋外カバーＣＶと制御盤ＣＰに設けられた通信器（表示器５０）とを近接して配置することで、屋外カバーＣＶを介して、表示器５０と端末装置６０との間で第２近距離通信Ｃ２が行うことができる。
【００８１】
〔第４実施形態〕
図９は、本発明の第４実施形態による給水装置のキャビネット蓋が取り外された状態の正面図である。尚、図９は、図２に相当する図である。本実施形態の給水装置４は、第１実施形態の給水装置１とほぼ同様の構成であるが、図９に示す通り、図２に示す給水装置１とは、制御盤ＣＰに内部表示器９０が設けられている点が相違する。この内部表示器９０は、キャビネット本体１０ｂからキャビネット蓋１０ａが取り外された状態においても、給水装置４の状態を示す情報を表示したり、給水装置４の各種操作を可能にしたりするために設けられる。
【００８２】
つまり、キャビネット本体１０ｂからキャビネット蓋１０ａが取り外された状態では、制御部２０とキャビネット蓋１０ａに取り付けられた表示器３０との間の距離が長くなり、表示器３０と制御部２０との間の近距離通信ができなくなる。これにより、キャビネット蓋１０ａが取り外された状態では、キャビネット蓋１０ａに取り付けられた表示器３０に、給水装置４の状態を示す情報を表示することができなくなる。本実施形態では、制御盤ＣＰに内部表示器９０を設け、内部表示器９０に給水装置４の状態を示す情報を表示することで、キャビネット蓋１０ａが取り外された状態であっても、給水装置４の状態を示す情報を確認することができるようにしている。
【００８３】
図１０は、本発明の第４実施形態による給水装置の模式的な断面矢視図である。尚、図１０は、図３に相当する図である。図１０に示す通り、内部表示器９０は、ケースＣＳの外部から視認可能な状態で、蓋体ＣＳ１の内面に取り付けられており、ケースＣＳ内に収容された制御部２０との間で無線通信を行って給水装置４の状態を示す情報を得て表示する。また、内部表示器９０は、キャビネット蓋１０ａに取り付けられた表示器３０との間で無線通信を行って、制御部２０から得た情報を表示器３０に送信する。このような内部表示器９０は、取り付け位置が異なるものの、第２実施形態における表示器５０と同様のものであるため、ここでの詳細な説明は省略する。
【００８４】
本実施形態では、制御部２０と内部表示器９０との間の無線通信が第１近距離通信Ｃ１であり、内部表示器９０と表示器３０との間の無線通信が第２近距離通信Ｃ２である。本実施形態の第１近距離通信Ｃ１及び第２近距離通信Ｃ２も、ＮＦＣにて通信を行うとよい。
【００８５】
これにより、給水装置４の状態を示す情報が、制御部２０から内部表示器９０へ第１近距離通信Ｃ１によって送信されて内部表示器９０に表示される。また、内部表示器９０に送信された給水装置４の状態を示す情報が、内部表示器９０から表示器３０へ第２近距離通信Ｃ２によって送信されて表示器３０に表示される。
【００８６】
以上の通り、本実施形態では、第１近距離通信Ｃ１及び第２近距離通信Ｃ２が可能な内部表示器９０を制御盤ＣＰに取り付け、給水装置４の状態を示す情報を、制御部２０から内部表示器９０に第１近距離通信Ｃ１によって送信し、更には内部表示器９０から表示器３０に第２近距離通信Ｃ２によって送信して表示器３０に表示するようにしている。これにより、キャビネット蓋１０ａがキャビネット本体１０ｂに取り付けられた状態であっても、キャビネット蓋１０ａがキャビネット本体１０ｂから取り外された状態であっても、運転状態や警報等の多様な情報を容易に確認することができる。
【００８７】
また、本実施形態では、第１実施形態と同様に、内部表示器９０と表示器３０との間には配線がないことから、キャビネット本体１０ｂからキャビネット蓋１０ａを取り外したり、キャビネット本体１０ｂにキャビネット蓋１０ａを装着したりするときに、配線を気にする必要が無い。また、制御盤ＣＰのケースＣＳ内に収容された各機器をメンテナンスするために、制御盤ＣＰの蓋体ＣＳ１と、ケース本体ＣＳ２とは取り外し可能（或いは、開閉可能）である。制御部２０と内部表示器９０との間にも配線がないことから、例えば内部表示器９０が制御盤ＣＰのケースＣＳの一部をなす扉部（蓋体ＣＳ１）に取り付けられており、扉部を開閉する必要がある場合にも、配線を気にする必要が無い。
【００８８】
本実施形態による給水装置４は、ポンプ１１ａ，１１ｂを制御する制御装置である制御盤ＣＰのケースＣＳ内に収容され、第１近距離通信Ｃ１を行って給水装置４の状態を示す情報を送信する制御部２０と、制御盤ＣＰ（制御装置）のケースＣＳに取り付けられ、制御部２０との間で第１近距離通信Ｃ１を行って情報を得る第１通信器である内部表示器９０と、を備える。内部表示器９０（第１通信器）は、第１近距離通信Ｃ１を行って得られた情報を、第２近距離通信Ｃ２を行って制御盤ＣＰ（制御装置）の外部の機器に送信する。外部の機器は、筐体であるキャビネット１０に取り付けられ、内部表示器９０（第１通信器）との間で第２近距離通信Ｃ２を行って情報を得る第２通信器である表示器３０である。
【００８９】
これにより、キャビネット本体１０ｂからキャビネット蓋１０ａを取り外したり、キャビネット本体１０ｂにキャビネット蓋１０ａを装着したりするときに、配線を気にする必要が無くなり、キャビネット本体１０ｂとキャビネット蓋１０ａの着脱が容易となる。また、例えば内部表示器９０が制御盤ＣＰのケースＣＳの一部をなす扉部（蓋体ＣＳ１）に取り付けられており、扉部を開閉する必要がある場合にも、配線を気にする必要が無い。また、表示器３０に表示される運転状態や警報等を容易に確認することができる。
【００９０】
図１１は、本発明の第４実施形態による給水装置の第１変形例を示す断面矢視図である。尚、図１１は、図１０に相当する図である。図１１に示す通り、本変形例では、表示器３０に代えて表示器５０がキャビネット蓋１０ａに取り付けられている。そして、制御部２０と内部表示器９０との間で無線通信が行われ、内部表示器９０と表示器５０との間で無線通信が行われ、表示器５０と端末装置６０との間で無線通信が行われる。
【００９１】
本変形例態では、制御部２０と内部表示器９０との間の無線通信が第１近距離通信Ｃ１であり、内部表示器９０と表示器５０との間の無線通信が第２近距離通信Ｃ２であり、表示器５０と端末装置６０との間の無線通信が第３近距離通信Ｃ３である。本変形例の第１近距離通信Ｃ１、第２近距離通信Ｃ２、及び第３近距離通信Ｃ３は、ＮＦＣにて通信を行う場合を例に挙げて説明する。
【００９２】
これにより、給水装置４の状態を示す情報が、制御部２０から内部表示器９０へ第１近距離通信Ｃ１によって送信されて内部表示器９０に表示される。また、内部表示器９０に送信された給水装置４の状態を示す情報が、内部表示器９０から表示器３０へ第２近距離通信Ｃ２によって送信されて表示器５０に表示される。更に、表示器５０に送信された給水装置４の状態を示す情報が、表示器５０から端末装置６０へ第３近距離通信Ｃ３によって送信されて端末装置６０に表示される。
【００９３】
図１２は、本発明の第４実施形態による給水装置の第２変形例を示す断面矢視図である。尚、図１２は、図１１に相当する図である。図１２に示す通り、本変形例では、制御部２０及び内部表示器９０に代えて制御部２０ａ及び内部表示器９０ａを設けた構成である。制御部２０ａは、内部表示器９０ａとの間の無線通信が不可である点を除き、制御部２０と同様のものである。内部表示器９０ａは、制御部２０ａとの間の無線通信が不可である点を除き、内部表示器９０と同様のものである。本変形例では、制御部２０ａと内部表示器９０ａとはケーブルＣＢによって接続されている。
【００９４】
そして、制御部２０ａと内部表示器９０ａとの間でケーブルＣＢを介した有線通信が行われ、内部表示器９０ａと表示器５０との間で無線通信が行われ、表示器５０と端末装置６０との間で無線通信が行われる。本変形例態では、内部表示器９０ａと表示器５０との間の無線通信が第１近距離通信Ｃ１であり、表示器５０と端末装置６０との間の無線通信が第２近距離通信Ｃ２である。本変形例の第１近距離通信Ｃ１及び第２近距離通信Ｃ２も、ＮＦＣにて通信を行うとよい。
【００９５】
これにより、給水装置４の状態を示す情報が、制御部２０ａから内部表示器９０ａへケーブルＣＢを介した有線通信によって送信されて内部表示器９０ａに表示される。また、内部表示器９０ａに送信された給水装置４の状態を示す情報が、内部表示器９０ａから表示器５０へ第１近距離通信Ｃ１によって送信されて表示器５０に表示される。更に、表示器５０に送信された給水装置４の状態を示す情報が、表示器５０から端末装置６０へ第２近距離通信Ｃ２によって送信されて端末装置６０に表示される。尚、本変形例では、内部表示器９０ａは、制御部２０ａに一体的に構成されてもよい。このような構成の場合には、制御部２０ａに表示操作を行うためのＧＵＩを有し、制御部２０ａと表示器５０との間の無線通信を第１近距離通信Ｃ１にて行う。
【００９６】
以上、本発明の実施形態による給水装置について説明したが、本発明は上述した実施形態に制限されることなく、本発明の範囲内で自由に変更が可能である。例えば、キャビネット１０に対する表示器（表示器３０，５０）の取り付け位置は、任意の位置であって良い。図１３は、キャビネットに対する表示器の取り付け位置の例を示す図である。表示器３０は、図１３（ａ）に例示する通り、キャビネット１０の前面の任意の位置に取り付けられていても良い。更には、図１３（ｂ）に例示する通り、キャビネット１０の天井面の任意の位置に取り付けられていても良く、図１３（ｃ）に例示する通り、キャビネット１０の側面の任意の位置に取り付けられていても良い。
【００９７】
更に、上述した実施形態では、キャビネット蓋１０ａは、キャビネットの前面に設けられたが、キャビネット１０の天井面及び側面の少なくとも１つを、キャビネット本体１０ｂより取り外し可能（或いは、開閉可能）とし、その面に表示器（表示器３０，５０）を設けてもよい。また、キャビネット１０には、複数の表示器３０を設けてもよいし、キャビネット蓋１０ａとキャビネット本体１０ｂはヒンジ等を用いて開閉可能としてもよい。
【００９８】
尚、上述した第１〜第４実施形態においては、表示器３０，５０に代えて、表示器３０，５０から表示部３３，５４が省略されたもの（通信器）を用いることもできる。また、上述した第４実施形態においては、内部表示器９０に代えて、内部表示器９０から表示部が省略されたもの（通信器）を用いることもできる。上述した第２実施形態を例に挙げると、表示器５０に代えて、表示部５４が省略された通信器をキャビネット蓋１０ａに取り付けることができる。このような通信機は、制御部４０との間の第１近距離通信Ｃ１及び端末装置６０との間の第２近距離通信Ｃ２がＮＦＣによって可能であり、制御部４０と端末装置６０との間の通信を中継する中継器ということもできる。
【００９９】
このような通信器を用いる場合には、キャビネット１０又は屋外カバーＣＶの外部から表示器５０を視認するために必要な窓部（透明窓）を省略することが可能である。但し、ＮＦＣは通信距離が数センチメートルと短いため、端末装置６０が通信器に近接配置されなければ、端末装置６０と通信器との間の第２近距離通信が行われず、給水装置２の状態を示す情報が端末装置６０に表示されない。また、端末装置６０と通信器との間に電波を妨害するような障害（例えば金属製の板）があると通信できない。このため、キャビネット蓋１０ａ又は屋外カバーＣＶには、通信器との間のＮＦＣが可能な部位（視認可能部）である旨を示すマークを付すのが望ましい。
【０１００】
また、上記実施形態で説明した給水装置１〜４は、２台のポンプを備えるものであったが、ポンプの数は１台のみであっても良く、３台以上であっても良い。モータ及びインバータは、ポンプの台数に応じた数だけ設ければ良い。
【符号の説明】
【０１０１】
１〜４            給水装置
３Ａ              給水装置
３ａ              給水装置本体
１０              キャビネット
１０ａ            キャビネット蓋
１０ｂ            キャビネット本体
１０ｃ            突起
１１ａ，１１ｂ    ポンプ
１２ａ，１２ｂ    モータ
１３ａ，１３ｂ    インバータ
１４              吸込口
１５              逆流防止弁
１６              吸込ヘッダ
１７              吐出ヘッダ
１８              圧力タンク
１９              吐出し口
２０，２０ｂ      制御部
２１              Ｉ／Ｏ部
２２              演算部
２３              記憶部
２４              設定部
２５              ＤＣ電源
２６              データライタ
２７              制御部側アンテナ部
３０              表示器
３１              表示器側アンテナ部
３２              集積回路
３３              表示部
４０              制御部
４１              Ｉ／Ｏ部
４２              演算部
４３              記憶部
４４              メンテナンスポート
４５              ＤＣ電源
４６              リーダライタ
４７              制御部側アンテナ部
５０              表示器
５１              表示器側アンテナ部
５２              制御部用集積回路
５３              リーダライタ
５４              表示部
５５              外部表示器用集積回路
５６              表示器側アンテナ部
６０              端末装置
６１              外部表示器側アンテナ部
６２              バッテリ
６３              リーダライタ
６４              表示部
７０              ベース
７１ａ，７１ｂ    吸込部
７２ａ，７２ｂ    吐出部
７３              吐出配管
７４ａ，７４ｂ    フロースイッチ
７５ａ，７５ｂ    チェッキ弁
７６              吐出し合流管
７７              連結配管
７８              圧力検知器
９０，９０ａ      内部表示器
Ｃ１              第１近距離通信
Ｃ２              第２近距離通信
Ｃ３              第３近距離通信
ＣＢ              ケーブル
ＣＰ              制御盤
ＣＳ              ケース
ＣＳ１            蓋体
ＣＳ２            ケース本体
ＣＶ              屋外カバー
ＣＶ１            カバー本体部
ＣＶ２            カバー蓋部
ＫＨ              鍵穴
ＳＴ              架台
【図１】
2019011732.tif 000003
【図２】
2019011732.tif 000004
【図３】
2019011732.tif 000005
【図４】
2019011732.tif 000006
【図５】
2019011732.tif 000007
【図６】
2019011732.tif 000008
【図７】
2019011732.tif 000009
【図８】
2019011732.tif 000010
【図９】
2019011732.tif 000011
【図１０】
2019011732.tif 000012
【図１１】
2019011732.tif 000013
【図１２】
2019011732.tif 000014
【図１３】
2019011732.tif 000015